Podtech/llm-jp-corpus-v4-ja_patent huggingface dataset:
(57)【要約】      （修正有）【課題】治安の維持に当たる警察官等が凶器を使用して不意に襲いかかる無法者に対応できるように常時着用して身を護ることができるようにする。【解決手段】四隅を切欠した矩形状の基板１の切欠部及び各辺部の中央部に貫通孔３を設けると共に基板の中心部に巾を有したＸ状各辺部４を凸状に形成し、基板に起毛状の特殊塗装を施し、胸部及び腹部を覆う形状に連繋して用いる防弾、防刃併用胴衣に用いる。【選択図】図１
0003118558.tif 000002
【実用新案登録請求の範囲】
【請求項１】
四隅を切欠した矩形状の基板の切欠部及び各辺部の中央部に貫通孔を設けると共に基板の中心部に巾を有したＸ状各辺部を凸状に形成し、基板に起毛状の特殊塗装を施し、胸部及び腹部を覆う形状に連繋して用いる防弾、防刃併用胴衣に用いる基板。
【請求項２】
上記基板の素材は、薄板状の超軽量の特殊軽金属製である請求項１に記載の防弾、防刃併用胴衣に用いる基板。
【請求項３】
上記基板の素材は、厚板状の超軽量の特殊軽金属製である請求項１に記載の防弾、防刃併用胴衣に用いる基板。
【考案の詳細な説明】
【技術分野】
【０００１】  本考案は要人の警護、夜間のパトロール時等で警備に携わる警察官等が着用して自己の身を護るための防弾、防刃用基板に関するものである。
【背景技術】
【０００２】  従来より、この種の防弾、防刃用基板は、多種類が開発され使用されているが、防弾用又は、防刃用としてその双方を転用できるものは少なく、何方かの片方で済ませている実情であった。
又、防弾衣、防刃衣の多くは作業衣或いは制服の上部から着用する仕様であった。
【考案が解決しようとする課題】
【０００３】  この種の防護基板（防護板）は、重量感があると共に柔軟性がない、そこで、本考案は、上記の基板の間隙部から不意に挿通される刃物を防御できる利点を兼ね備えつつ、更に、防刃基板と防弾耐性を有する基板を別体とし、好着用性を確保すると共に、通気性を有し、がたつきを防止するための特殊塗料を塗着した基板を提供することを課題とするものである。
【課題を解決するための手段】
【０００４】  本考案は夏期及び冬期においても制服の下部或いはワイシャツの下部、下着の上部へ着用し、該ポンチョ状胴衣体の前面部即ち胸、腹部へ防弾基板或いは防刃基板を装着するものである。
【０００５】  近年、科学技術の発達に伴い、防弾用素材或いは防刃用素材が開発され各々金属製であっても軽量となり、有効に利用されている。
【考案を実施するための最良の形態】
【０００６】  本考案は、通常使用されている、警察官の冬期の制服の下部へ又夏期の制服にあっては、該服の下部へ着用するポンチョ状胴衣体へ必要時（現在は夜間時は、必ず着用）に防刃用基板（防護板）又防弾用基板（防護板）を該胴衣に貼設し、防弾防刃各々の基板で着用者の上半身を各種の刃物、銃等による受傷を防止できるものである。
【実施例】
【０００７】  以下、本考案を添付図面に基づいて説明する。
図１は、本考案の防弾、防刃基板の単体の平面図である。
図２は、本考案の図１のＡ−Ａ′線断面図を二枚重合し、鋲着する防弾用基板の説明図である。【０００８】  本考案は、主として警察官が勤務中常時着用できる様に簡単に構成した防弾と防刃とをワンタッチで取り替えることができる基板であって、図１で示すように、矩形状の凹凸部を有する単体の基板▲１▼であって、素材は超軽量の特殊軽金属製であり、四隅を切欠し、該各切欠部の中央部に基板▲１▼を所定の大きさ（胸部及び腹部に連綴する連綴貫通孔▲２▼を穿設し加えて、各辺部の中央部に中央貫通孔▲３▼を穿設する。次に基板▲１▼の中心部に巾を有したＸ字形状の凸部▲４▼を押圧して設ける。更に基板▲１▼の外周辺凸部▲５▼を押圧して設ける。
以上の結果Ｘ字状凸部▲４▼及び外周辺凸部▲５▼以外の部位に凹部▲６▼が構成される。上記の結果得られた本考案の単体の基板▲１▼に布織物等で実施されている起毛を施工したと同様の効果を有する塗料を塗着して本考案の基板▲１▼が形成されるのである。
本基板▲１▼を所定の大きさに連綴貫通孔▲２▼中央貫通孔▲３▼を介して図２に図示のように鋲着▲７▼するものである。
【産業上の利用可能性】
【０００９】  本考案の防弾、防刃併用胴衣に用いる基板は当局において実装、実験済みである。
【図面の簡単な説明】
【００１０】
【図１】  本考案の基板の平面図である。
【図２】  図１のＡ−Ａ′線断面図を重合し鋲着した厚板の説明図である。
【符号の説明】
【００１１】  １…基板（単体）
２…連綴貫通孔
３…中央貫通孔
４…Ｘ字形状凸部
５…外周辺凸部
６…凹部
７…鋲。
【図１】
0003118558.tif 000003
【図２】
0003118558.tif 000004
(57)【要約】【課題】異種、異色の筆記具を複数本結合できる構造とするとともに、単独で、または、複数を同時に、使途に応じて容易に使い分け出来るようにし、書面や図面の照査作業等を効率的なものとする。【解決手段】筆記具１の一端が、筆記具２のキャップおよび連結具を兼ねる構造とし、別途両者に使用可能なキャップ３を用いる。異種、異色の筆記具を、天地を持ち替える事によって容易に使い分けできるとともに、一方の筆記具のみでの使用も可能とする事を特徴とする。また、両者のインク等の消耗は同一ではないことから、筆記具を単独で更新可能とする事により有効に使用する事が可能である。【選択図】図１
0003118553.tif 000002
【実用新案登録請求の範囲】
【請求項１】
筆記具の端部にキャップを兼用し得る雄雌の連結具を設ける事により、異なる筆記具を連結できる構造とし、一方を単独で、または、天地を持ち替える事により、異なる筆記具を容易に使い分け出来る筆記具。
【考案の詳細な説明】
【技術分野】
【０００１】  本考案は、書面や図面の照査等に用いる筆記具に関するものである。
【背景技術】
【０００２】  昨今、書面や図面等の作成には、ワードプロセッサ、表計算、ＣＡＤを用いる事が多く、これに伴って誤変換や誤記の発生頻度も高まっている。この事から、書面や図面等の作成に際しては記載内容の照査が必須となっており、品質保証の一環としてチェックシートの提出や保管を義務づける事業所等も見られる。【０００３】  書面や図面を照査する場合には、記載内容に対して肯定と否定の判定を行う事となるが、その判別は、異種、異色の筆記具により行う事例が多く、肯定箇所に対しては淡色でのマーキング等を、否定箇所に対しては赤色等での訂正を加える事例が多い。【０００４】  しかし、一連の照査作業の中で、異なる筆記具を選択しながら作業を進める事は非常に煩雑である。また、多色ボールペン等を用いる場合もあるが、インク色の選択を間違うケースが多く、照査作業が非常に煩わしいものとなっている。【０００５】  なお、本考案に関連する公知技術として、次の特許文献１を挙げる事ができる。
【特許文献１】特許公開２００５−１９９６９５
【考案の開示】
【考案が解決しようとする課題】
【０００６】  解決しようとする問題点は、異種、異色の筆記具を用いて作業を行う必要がある場合に、個々の筆記具を持ち替える等の事が煩雑な点である。【０００７】  従来の筆記具においても、２色の色鉛筆は存在したが、この場合、ペン種、ペン色が限定されるとともに、消耗が均等ではない事から一方を使い切った後には、２色筆記具としての機能を果たさない。【０００８】  また、多色ボールペンも存在するが、この場合にはペン種が限定され、また、ペン色の切り替えが煩雑であるが故にペン色の選択を誤る頻度が高い。
【課題を解決するための手段】
【０００９】  一方の筆記具の一端が、他方の筆記具のキャップおよび連結具を兼ねる構造とし、別途両者に使用可能なキャップを用いる。異種、異色の筆記具を、天地を持ち替える事によって容易に使い分けできるとともに、一方の筆記具のみでの使用も可能とする。筆記具のペン種、ペン色は任意に選択が可能であり、また、両者のインク等の消耗は同一ではないことから、筆記具を単独で更新可能とする事により有効に使用する事が可能である。
【考案の効果】
【００１０】  複数のペン種、ペン色を必要とする作業時において、その作業効率を高める事が可能であるとともに、ペン種、ペン色の選択が任意である事により、多種多様な場面での使用が考えられる。また、筆記具の携帯本数を減じる事が可能となる。
【考案を実施するための最良の形態】
【００１１】  以下、本考案の実施の形態を図面に基づき詳細に説明する。なお、本考案では、複数の筆記具を連結する事が可能であるが、図面では筆記具の本数を２本として示している。【００１２】  図１は、本考案の筆記具を各部品に分割した状態を示し、キャップ３、筆記具１、筆記具２により構成される。キャップ３は、筆記具１の左端と、筆記具２の両端に使用可能なキャップである。筆記具１の右端は雌形状となっており、筆記具２の両端を結合する事が可能である。筆記具２の左端は、雄形状となっており、キャップ３または筆記具１左端の雌形状部と結合が可能である。【００１３】  図２は、本考案筆記具の不使用時の状態を示している。【００１４】  図３は、筆記具１のみを使用可能とした状態を示している。【００１５】  図４は、筆記具２のみを使用可能とした状態を示している。【００１６】  図５は、筆記具１、筆記具２の両者を使用可能とした状態を示しており、天地を持ち替える事により、両者を容易に使い分けが可能となる。【００１７】  筆記具１と筆記具２は、その利用頻度が同一と限らない事から、インク等の消耗も同一ではない。本考案においては、一方の筆記具単独でも更新が可能である事から有効な利用が可能である。
【実施例】
【００１８】  実施例として書面や図面の照査を行う状況を考える。【００１９】  筆記具１は、書面や図面の記載内容を肯定する意味で用いるものとすれば、黄色等のラインマーカーの使用が最適である。【００２０】  筆記具２は、書面や図面の記載内容を否定する意味で用いるものとすれば、修正内容の書き込みが可能である様に、赤色等のボールペンを使用する事が最適である。【００２１】  以上、本考案の実施の形態および実施例を示したが、本考案の範囲はこれに限定されるものではない。例として、筆記具の数は任意に決定が可能であり、また、筆記具の種別やインク色等も、用途や好みにより任意に選択する事が可能である。
【産業上の利用可能性】
【００２２】  本考案は、書面や図面等の照査用に限らず、単独の、または複数の筆記具を必要とする状況においての利用が可能であるとともに、持参する筆記具の本数を低減する事を可能とする。
【図面の簡単な説明】
【００２３】
【図１】筆記具を各部品に分割した状態を示した説明図である。
【図２】筆記具不使用時の状態を示した説明図である。
【図３】筆記具１のみの使用状態を示した説明図である。
【図４】筆記具２のみの使用状態を示した説明図である。
【図５】筆記具１と筆記具２の両者を使用状態とした説明図である。
【符号の説明】
【００２４】  １  筆記具１
２  筆記具２
３  キャップ
【図１】
0003118553.tif 000003
【図２】
0003118553.tif 000004
【図３】
0003118553.tif 000005
【図４】
0003118553.tif 000006
【図５】
0003118553.tif 000007
(57)【要約】      （修正有）【課題】安全を確保する為の輪止めの状態は、単品２個を両手で車輪にはさみこむのですが、腰を屈めるのが辛く設置し難かった。片手で立ったまま設置できる輪止めを提供する。【解決手段】２個の輪止め１をパイプ２．３で連結し、取っ手を設けて吊り下げる。パイプ２に支点を設けパイプ３が自在に可動する。【選択図】図１
0003118537.tif 000002
【実用新案登録請求の範囲】
【請求項１】
２個の輪止めをパイプにより連結したことを特徴とする開脚式輪止め。
【請求項２】
前記開脚輪止めは連結したパイプに支点を設け開脚出来ることを特徴とする請求項１記載の開脚式輪止め。                                                                                                                                                                                
【請求項３】
前記連結したパイプには上部に取っ手を設け片手で立位のまま設置操作できることを特徴とする開脚式輪止め。                                                                                                  
【考案の詳細な説明】
【技術分野】
【０００１】
この考案は、自動車等の駐車時に車両が不意に移動しない為の安全処置としての輪止めの方法に関するものである。
【背景技術】
【０００２】
従来、駐車時の輪止めは個々に２個携帯して車輪の前後に設置する、図４に示すように紐等でつないだものもある。
【考案の開示】
【考案が解決しようとする課題】
【０００３】
しかしながら、以上の技術によれば、２個の輪止めが紛失しやすく、また設置するのには両手で持ち、腰をかがめて車輪の前後にはさめることとなり、多大な労力が必要である。
そこで、この考案は、片手で立ったまま設置できる輪止めを提供することを課題とする。
【課題を解決するための手段】
【０００４】
以上の課題を解決するために、第一考案は、２個の輪止めをパイプ等で連結し支点をもうけ自在に開閉できることを特徴とする開脚式輪止め。
また、第二考案は、上部に取っ手を設け、片手で立位のまま設置できることを特徴とする開脚式輪止め。
【考案の効果】
【０００５】
第一考案、または第二考案によれば、設置時にかがまなくても良く労力が希少ですみ楽である、また取っ手を彩色することにより、確認しやすく外し忘れが防止できる。
【考案を実施するための最良の形態】
【０００６】
この考案の一実施形態を、図１に示す。
２個の輪止め１は概製品でありパイプ２と３の下部曲がり部に穴を開けて可動出来る様に通す、パイプ２の上部には取っ手部を設け握りやすい形状にする、中間に支点部を設けパイプ３を連結し開脚出来るようにする。
【０００７】
「実施形態の効果」
この実施形態によれば、取っ手部を持ち上げた時パイプ部は閉脚状態になり、輪止めは接地面先端が下向きとなる、本体を下げて行くに従い先端が接地するとパイプが開脚状態となるので、そのまま車輪の下へ移動して取っ手部を持ち上げると簡単に設置できる。
【０００８】
「他の実施形態」
図１の実施形態では、輪止めの効果は十分であるが、車輪の寸法によっては設置困難なこともあり、他の実施形態では、全体に寸法を大きくしたものにして大型車用としたものでも良い。
【図面の簡単な説明】
【０００９】
【図１】この考案の一実施形態を示す図である。
【図２】この考案の一実施方法を示す図である。
【図３】この考案の一収納方法を示す図である。
【図４】従来技術を示す図である。
【符号の説明】
【００１０】
１  輪止め          ２  パイプ２        ３  パイプ３                                                                        ４  支点            ５  取っ手
【図１】
0003118537.tif 000003
【図２】
0003118537.tif 000004
【図３】
0003118537.tif 000005
【図４】
0003118537.tif 000006
【手続補正書】
【提出日】平成17年11月10日(2005.11.10)
【手続補正１】
【補正対象書類名】実用新案登録請求の範囲
【補正対象項目名】請求項３
【補正方法】変更
【補正の内容】
【請求項３】
前記連結したパイプには上部に取っ手を設け片手で立位のまま設置操作できることを特徴とする請求項１記載の開脚式輪止め。
(57)【要約】【課題】  膨らみ方に強弱をだし、下肢（ひざより下）のだるさをやわらげる座布団を得る。【解決手段】  椅子やソファーに座って太もも裏・ひざ裏を持ち上げると、下肢（ひざより下）のだるさがやわらぐことから、前方１（太もも裏・ひざ裏のあたる部分）を後方２より少し固めに、かつ、盛り上がった膨らみ方（膨らみ方の強い部分）にする。【選択図】  図１
0003118540.tif 000002
【実用新案登録請求の範囲】
【請求項１】
前方１（太もも裏・ひざ裏のあたる部分）が後方２より少し固めで高く盛り上がった膨らみ方をしており、前方１と後方２との境目３を前方に湾曲させている、（椅子やソファーに座る時に用いる）略四角形の座布団。
【考案の詳細な説明】
【考案の詳細な説明】
【技術分野】
【０００１】  本考案は、椅子やソファーに座る時に用いる座布団に関するものである。
【背景技術】
【０００２】  従来、膨らみ方の強い部分や弱い部分を併せ持っていなかった。
【考案が解決しようとする課題】
【０００３】  従来の技術で述べたものは、下肢（ひざより下）がだるくなりやすいという問題点を有していた。
【０００４】  本考案は、従来の技術の問題点について考えたものであり、その目的とするところは、膨らみ方に強弱をだし、下肢（ひざより下）のだるさをやわらげる座布団を提供しようとするものである。
【課題を解決するための手段】
【０００５】  椅子やソファーに座って太もも裏・ひざ裏を持ち上げる（椅子やソファーの座面より１０〜１５ｃｍ程度）と、下肢（ひざより下）のだるさがやわらぐことから、本考案における座布団は、太もも裏・ひざ裏を持ち上げるために、前方（太もも裏・ひざ裏のあたる部分）を椅子やソファーの座面より１０〜１５ｃｍ程度高く盛り上がった膨らみ方（膨らみ方の強い部分）にし、後方より少し固めにする。
【考案を実施するための最良の形態】
【０００７】  前方１（太もも裏・ひざ裏のあたる部分）は綿又はウレタンを用い、椅子やソファーの座面より１０〜１５ｃｍ程度高く盛り上がった膨らみ方をしており、後方より少し高めで固めである。【０００８】  また、後方２には綿又はウレタン又は綿・ウレタンの混合を用い、前方より低めで柔らかめ（膨らみ方の弱い部分）である。【０００９】  前方１と後方２の境目３を前方１に湾曲させている。【００１０】  前方１が太もも裏・ひざ裏にあたるよう椅子に置いて座る。
【考案の効果】
【００１１】  本考案は、上述のとおり構成されているので、次に記載する効果を奏する。
【００１２】  請求項１の座布団においては、前方（太もも裏・ひざ裏のあたる部分）が後方より少し固めで、高く盛り上がっているので太もも裏・ひざ裏が持ち上げられ、下肢（ひざより下）のだるさがやわらげられる。
【００１３】  また、請求項１の座布団において、前方（太もも裏・ひざ裏のあたる部分）と後方との境目を前方に湾曲させているので、座布団が体にフィットしやすい。
【図面の簡単な説明】
【図１】  前方（太もも裏・ひざ裏のあたる部分）盛り上がり座布団の全体図である。
【図２】  前方（太もも裏・ひざ裏のあたる部分）盛り上がり座布団の側面図である。
【符号の説明】
１  前方（太もも裏・ひざ裏のあたる部分）
２  後方
３  前方と後方の境目（湾曲している部分）
【図１】
0003118540.tif 000003
【図２】
0003118540.tif 000004
(57)【要約】【課題】  本考案は、モジュラ−プラグを装着したＬＡＮケ−ブルにノイズフィルタを接続するこにより、ノイズ除去に有効に機能する低コストのＬＡＮケ−ブルを得る。【解決手段】  ＬＡＮケ−ブルの途中に基板上下に載置されたノイズフィルタを各々接続し、該接続部をノイズフィルタハウジングで覆うように構成した。【選択図】  図１
0003118534.tif 000002
【実用新案登録請求の範囲】
【請求項１】
モジュラ−プラグを装着したＬＡＮケ−ブルにおいて、前記ＬＡＮケ−ブルの途中に基板上下に載置されたノイズフィルタを設け接続、該接続部はノイズフィルタハウジングで覆われていることを特徴とするノイズフィルタ付きＬＡＮケ−ブル。
【考案の詳細な説明】
【技術分野】
【０００１】  本考案は、モジュラ−プラグを装着したＬＡＮケ−ブルにノイズ除去用フィルタを接続したノイズフィルタ付きＬＡＮケ−ブルに関するものである。
【背景技術】
【０００２】  従来、ＬＡＮ（ｌｏｋａｌ  ａｒｅａ  ｎｅｔｗｏｋ）ケ−ブルにおいて、ケ−ブル外表面を被覆してノイズ除去するＬＡＮ用ノイズフィルタは特開平１１−１２６５１８号公報に開示されている。
【考案の開示】
【考案が解決しようとする課題】
【０００３】  しかしながら、上記のＬＡＮケ−ブルは接続作業等に煩雑であるという不都合が生じる。そこで、モジュラ−プラグを装着したＬＡＮケ−ブルにノイズフィルタを接続してユニット化することにより、上記の不都合を解決しようとするものである。
【課題を解決するための手段】
【０００４】  本考案は、モジュラ−プラグを装着したＬＡＮケ−ブルの途中に基板上下に載置されているノイズノイズフィルタに接続し、その接続部をフィルタハウジングで覆うことによりユニット化したＬＡＮケ−ブルが得られ、該ケ−ブルをオフィス或いは一般家庭において、ハブとパソコン等に接続するだけで、特にデジタル回線の伝送上生じるノイズ除去に有効に機能するＬＡＮケ−ブルを創案することで解決した。
【考案の効果】
【０００５】  上述したように、本考案のノイズフィルタ付きＬＡＮケ−ブルは、モジュラ−プラグを装着した適宜長さのＬＡＮケ−ブルの一端を基板を介して載置されているノイズフィルタに各々接続し、その接続部をノイズフィルタハウジングで覆いユニット化した、オフィスや家庭内でハブとパソコン等ＯＡ機器とを接続する際、例えば１〜５メ−トル間隔で適宜ユニット化されているＬＡＮケ−ブルを選択し、各種ＯＡ機器に簡単に接続することができ、特にデジタル回線に生じるノイズの除去が可能になる。
【考案を実施するための最良の形態】
【０００６】ＬＡＮケ−ブルの一端には、ＯＡ機器等のモジュラ−ジャッグに挿入接続される公知の通信回線用のモジュラ−プラグが装着され、他端は基板上下に載置されているノイズフィルタに各々半田等により接続されている。
前記ノイズフィルタは公知のコイルからなるものであり、ＡＤＳＬ、ＩＳＤＮ等のデ−タ伝送上に生じるノイズの混入を防止する効果を有するのである。【０００７】  そして、ＬＡＮケ−ブルとノイズフィルタの接続部は合成樹脂製の円筒形状からなる上下二分割に形成されたノイズフィルタハウジングに覆われ、結線部を保護するものである。
また、ＬＡＮケ−ブルの長さは、例えば１メ−トル、２メ−トル或いは、５メ−トル間隔毎に設定することで、消費者の需要に応えた適宜長さの低コストのノイズフィルタ付きＬＡＮケ−ブルが供給できのである。
【実施例】
【０００８】  以下、図面に従って実施例を説明する。
１は合成樹脂等の絶縁材料からなる二分割された円筒形状のノイズフィルタハウジング、２は抜け止め防止用の爪を備えた公知のモジュラ−プラグ、３はデ−タ転送用のＬＡＮケ−ブルである。
前記ＬＡＮケ−ブル３の一端にはモジュラ−プラグ２が装着され、ハブ或いはパソコン等のＯＡ機器に接続される。また、該ケ−ブル３の他端は基板１３の上下に載置されたノイズノイズフィルタ１１及びノイズフィルタ１２に各々半田等により接続され、これら接続部は上記の円筒形状のフィルタハウジング１によって覆われるように構成されている。
フィルタ１１及び１２は公知のコイルからなり、各種デジタルデ−タを伝送する際に生じるノイズを除去するものである。
なお、モジュラ−プラグ４芯を採用しているがこれに限定されるものではなく、８芯にも適用できることは言うまでもない。【０００９】  本考案の一実施例は上述のように構成されているので、複数部品を容易に組立て量産が可能になり、低コストのノイズフィルタ付きＬＡＮケ−ブルが得られた。
一方、ユ−ザは必要長さのノイズフィルタ付ＬＡＮケ−ブルを購入し、オフィス或いは一般家庭のハブまたはＯＡ機器間に接続することで、従来用いられている、複雑な配線接続を行うことなく、デジタル回線に生じる伝送ノイズの除去が可能になった。
なお、本考案は、実施例の形態の構成に限定されるものではなく、本考案の要旨の範囲内で種々の変形が可能である。
【図面の簡単な説明】
【００１０】
【図１】  本考案のノイズフィルタ付きＬＡＮケ−ブルにおいて、ノイズフィルタハウジングの上部を除去したＬＡＮケ−ブルの実施例を示す斜視図である。
【図２】  本考案のノイズフィルタハウジングの側断面図である。
【図３】  本考案のノイズフィルタハウジングの平面図である。
【符号の説明】
【００１１】１      ノイズフィルタハウジング
２      モジュラ−プラグ
３      ＬＡＮケ−ブル
１１    ノイズフィルタ
１２    ノイズフィルタ
１３    基板
【図１】
0003118534.tif 000003
【図２】
0003118534.tif 000004
【図３】
0003118534.tif 000005
(57)【要約】      （修正有）【課題】水中で浮くための浮き袋等はあるが、水面に立ったままの状態で、さらに歩行を可能にする器具等はないため、水面で歩行を可能とする器具を実現する。【解決手段】ウキの役割をする器具の上に乗って人体全体が水面上に立とうとすると、重心がくずれやすく非常に不安定である。しかし、ウキの真上からでなく横側に体重をかけることでウキと人体の足が水面下に沈み、重心が下がることによって立ったままでも安定した状態になる。【選択図】図１
0003118538.tif 000002
【実用新案登録請求の範囲】
【請求項１】
ウキ部の横側から体重をかけることで浮力と体重が垂直に安定する作用を生み、両足に１個ずつ使用することによって立った状態でバランスをとり、水面で安定した姿勢を保つことが可能となる器具。
【考案の詳細な説明】
【技術分野】
【０００１】
本考案は、人体を水面に立って歩くことを可能にするための器具に関するものである。
【背景技術】
【０００２】
水中で浮くための浮き袋等はあるが、水面に立ち、歩くことができる器具はない。
【０００３】
この改善策として、水面で歩行が可能となる器具を考案した。
【特許文献１】特開昭６１−２１８８８  水上歩行用具
【考案の開示】
【考案が解決しようとする課題】
【０００４】
水中で浮くための浮き袋等はあるが、水面に立ったままの状態で、さらに歩行を可能にする器具等はないため、水面で歩行を可能とする器具を実現する。
【課題を解決するための手段】
【０００５】
人体を水面に浮かべる場合、ウキの役割をする器具の上に乗って、人体全体が水面上に立った状態を想定しがちであるが、その状態では重心がくずれやすく、非常に不安定である。しかし、ウキの真上からでなく横側に体重をかけることでウキと人体の足が水面下に沈み、重心が下がることによってウキ部にかかる浮力が大きくなり、同時に体重と浮力が垂直方向に作用するので、立ったままでも安定した状態になる器具で課題を解決する。
【考案の効果】
【０００６】
水面に安定した姿勢で立つことができ歩行も可能であるので、海・川・プール等水のある場所で、水面上の通行・遊び・荷物の運搬等の作業・人命救助などに利用できる器具が実現できる。
【考案を実施するための最良の形態】
【０００７】
キャップで密閉できる換気用の口の付いた、中が空洞の容器の横に、人体の足を入れるために上部があいた凹型の容器がくっついた形状の器具。
【実施例１】
【０００８】
図１は、本考案の形状を示した図である。
【実施例２】
【０００９】
図２は、本考案を水面で使用する場合の断面図である。
【産業上の利用可能性】
【００１０】
水面で安定した状態で立ったり歩いたりすることができるので、水辺での遊具としての利用はもちろん、人が海や川で溺れている場合は素早く近づいて救助することが可能となるため人命救助に役立つ。救助に向かった人が溺れるという二次災害も発生しにくい。また、従来、川や池、湖等があるため遠回りしていた通行行程の場合は、水面を渡ることで距離の短縮に役立つ。
【図面の簡単な説明】
【００１１】
【図１】水面歩行器具の形状を示した図である。（実施例１）
【図２】水面歩行器具を水面で使用する場合の断面図である。（実施例２）
【符号の説明】
【００１２】
１  中が空洞のウキ部
２  凹型の足入れ部
３  運搬用の取っ手
４  キャップ付きの換気用の口
【図１】
0003118538.tif 000003
【図２】
0003118538.tif 000004
【手続補正書】
【提出日】平成17年11月10日(2005.11.10)
【手続補正１】
【補正対象書類名】実用新案登録請求の範囲
【補正対象項目名】全文
【補正方法】変更
【補正の内容】
【実用新案登録請求の範囲】
【請求項１】
キャップで密閉できる換気用の口の付いた、中が空洞の容器の横に、人体の足を入れるために上部があいた凹型の容器がくっついた形状の水面歩行器具。
(57)【要約】      （修正有）【課題】固いものの上でも下敷きなしで鮮明に捺印できる印鑑を提供する。【解決手段】印鑑の印面を円弧状にし、印面を捺印個所の手前に合わせ印鑑頭部を奥へロールさせることにより、印面と捺印面の接触箇所が面から線となり、固いものの上でも鮮明に捺印できるようにした。【選択図】図１
0003118516.tif 000002
【実用新案登録請求の範囲】
【請求項１】
印面を円弧状にした印鑑
【考案の詳細な説明】
【技術分野】
【０００１】  本考案は、鮮明に捺印できるようにした印鑑である。
【背景技術】
【０００２】  固いものの上で捺印するとき敷物を置いたり、強く押し付けていた。
【考案の開示】
【考案が解決しようとする課題】
【０００３】  印鑑は印面が平面状である為固いものの上では鮮明に捺印しにくい、従って敷物を置いて捺印したり、強く押し付けて捺印している、この欠点を解決しようとするものである。
【課題を解決するための手段】
【０００４】  本考案は、印鑑の印面を僅かに円弧状とし、捺印時には印鑑頭部を手前から奥へロールさせ捺印する。
【考案の効果】
【０００５】  印鑑の印面を僅かに円弧状にすることにより、印面と捺印面との接触個所が面から線となり、敷物なしでも鮮明に捺印できる。
【考案を実施するための最良の形態】
【０００６】  本考案の印面を押捺個所の手前に合わせ、印鑑頭部を奥へロールさせることにより、印面は手前から順次捺印面に接触してゆき、固いものの上でも下敷きなしに鮮明に捺印できる。
【実施例】
【０００７】  図面の如く本考案の印面を円弧状にした印鑑を、捺印個所の手前に合わせ印鑑頭部を奥へロールさせることにより、鮮明な印影が得られる、図面では円弧状を判り易くするため多少誇張して記してあるが、僅かな円弧で充分である。
【図面の簡単な説明】
【０００８】
【図１】本考案における印鑑の使用形態側面図である。
【図２】本考案における印鑑の正面図である。
【図３】本考案における印鑑の印面図である。
【符号の説明】
【０００９】  １は印鑑本体
２は印面
３は捺印用紙
４は目印
【図１】
0003118516.tif 000003
【図２】
0003118516.tif 000004
【図３】
0003118516.tif 000005
(57)【要約】      （修正有）【課題】形状用素材を首廻りに使用しかつ両端にクリップボールを付け、かつ裾にポケットを作り、タオル付きフリークリップが付いた介護用エプロンの提供。【解決手段】エプロンの首囲りに形状用素材を組み込みその両端にグリップボールを装着し片手で容易に着用することを可能にし、自分でできる自立への支援に役立ち且つポケットを設ける。更にタオル付フリークリップはエプロンのずれ防止、タオル付により即汚れふき取りに役立つ。【選択図】図１
0003118514.tif 000002
【実用新案登録請求の範囲】
【請求項１】
介護用エプロン首囲りに形状用素材を考案
その素材を使用することによりワンタッチで着用を可能にしたことを特徴とするエプロン
【請求項２】
ポケット付にすることにより食べこぼしの不快の解消可能にしたことを特徴とするエプロン
【請求項３】
形状用素材の両端にグリップボールを使用により握力の弱い状態での着用を容易にし自立への一歩を可能にしたことを特徴とするエプロン
【請求項４】
タオル付フリークリップを考案
どこにでも止めることを可能、更にタオル付により即座の汚れ拭きを可能にしたことを特徴とするエプロン
【考案の詳細な説明】
【持術分野】
【０００１】  本考案は介護エプロン首囲りに形状用素材を設けたエプロンに関するものである。
【背景技術】
【０００２】  介護またはリハビリを必要とされている方は食事、歯磨き、洗顔の際エプロンをかけてもらっている。
【考案の開示】
【０００３】  この考案は上記した問題点を解消する形状用素材
グリップボール、タオル付フリークリップを提供することを目的とする。
【課題解消するための手段】
【０００４】  本考案はエプロンの首囲りに形状用素材を組み込みその両端にグリップボールを装着し片手で容易に着用することを可能にし、自分でできる自立への支援に役立ち且つポケットを設けることに食べこぼしの問題点を解決。更にタオル付フリークリップはエプロンのずれ防止、タオル付により即汚れふき取りに役立つ。
【考案の効果】
【０００５】  上述のように本考案のワンハンドエプロンは片手で容易に着用は勿論、グリップボールを装着することにより握力の弱い状態での着用を解消しました。更にポケットに食べこぼしが入ることで介護する立場、される立場の問題点の解決。洗顔、歯磨きの際の水の流れ落ちにも役立つ。またフリークリップによる自由自在に固定できる特徴。タオル付により汚れ拭きが容易にでき且つ衛生面として役立つ。
【考案の実施するための最良の形態】
【０００６】  首囲りに形状用素材を適用とその両端にグリップボールを設けたエプロンは片手で容易に着用、離脱を可能にする。尚、握力の弱い状態においてもグリップボールを軽く握ることで、より片手の着用が容易となる。自分でできることにより自立への支援となる。又、タオル付フリークリップによる自由自在の使用で場所を選ばずとめておける。
【実施例】
【０００７】  以下添付図面に従って一実施例を説明する。
１は耐久性の金属ビニール管形状素材にて一体化形成され更に共生地でやさしさをカバー
２は発泡スチロールと共生地によるグリップボールにて片手での着用を容易にする
３は食べこぼしなどの衛生面の解消、更に洗顔、歯磨きなどの際に少々の水の流れ防止になる。
４は水を弾く撥水加工素材使用【０００８】  １ａは着用、離脱の際広くなり着用済みで元のスタイルを形状する特徴を示すことである。【０００９】  ５は耐久性のプラスチック等適宣素材にてクリップを使用
更に両側にクリップを付けることで自由自在となり止める場所を限定しないことになる
６はエイト管を付けることで紐の長さを調節することができる便利性が生まれる
７は例えば食事、歯磨き等の際少々の汚れ拭きにすぐ手元にあると非常に役立つ特性
８は弾力のあるエステル袋打紐を使用によりソフトなタッチが特徴である
【図面の簡単な説明】
【００１０】
【図１】  本考案のワンハンドエプロンの一実施例を示す正面である
【図２】  本エプロンの付属タオル付フリークリップ図である
【図３】  本エプロンの形状素材の開閉図である
【図１】
0003118514.tif 000003
【図２】
0003118514.tif 000004
【図３】
0003118514.tif 000005
【手続補正書】
【提出日】平成17年4月30日(2005.4.30)
【手続補正１】
【補正対象書類名】実用新案登録請求の範囲
【補正対象項目名】全文
【補正方法】変更
【補正の内容】
【実用新案登録請求の範囲】
【請求項１】
考案した形状用素材を首周りに使用した介護用エプロン
【請求項２】
ポケット付を特徴とする請求項１記載の介護用エプロン
【請求項３】
形状用素材の首周りにグリップボールを付けたことを特徴とする請求項１の介護用エプロン
【請求項４】
考案したタオル付フリークリップを特徴とする請求項１の介護用エプロン
【手続補正３】
【補正対象書類名】図面
【補正の内容】
0003118514.tif 000006
0003118514.tif 000007
【手続補正書】
【提出日】平成17年9月21日(2005.9.21)
【手続補正１】
【補正対象書類名】実用新案登録請求の範囲
【補正対象項目名】前文
【補正方法】変更
【補正の内容】
【書類名】          実用新案登録請求の範囲
【請求項１】
エプロン本体（４）をワンタッチで首回りに着用を可能にしたことを特徴とするワンハンドエプロン。
【請求項２】
エプロン本体（４）の下部にポケット（３）を設けたことを特徴とする請求項１記載のワンハンドエプロン。
【請求項３】
エプロン本体（４）の上部に固定具（１）を設け、固定具（１）の両端にグリップボール（２）を設けたことを特徴とする請求項１、請求項２記載のワンハンドエプロン。
【請求項４】
紐（８）の一方にクリップ（５）を設け、一方は輪状にして長さ調節具（６）を設け、輪状のところにクリップ（５）を設け、クリップ（５）にハンカチ（７）を付け、エプロン本体（４）に装着して使うことを特徴とした請求項１、請求項２、請求項３記載のワンハンドエプロン。
【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003118514.tif 000008
【図２】
0003118514.tif 000009
【図３】
0003118514.tif 000010
(57)【要約】      （修正有）【課題】装飾品に接合プレートを介し、簡単な手段で強固に固定できるように開発したイヤリング止め具の提供。【解決手段】固定部材の一端には回動自在に取付け片が設けられ、該取付け片先端は台板を介し接合プレートが塗布嵌着されており、固定部材の他端には止め具が固定された止めネジが形成されてあることを特徴とするイヤリング止め具。【選択図】図１
0003118561.tif 000002
【実用新案登録請求の範囲】
【請求項１】
固定部材の一端には回動自在に取付け片が設けられ、該取付け片先端は台板を介し接合プレートが塗布嵌着されており、固定部材の他端には止め具が固定された止めネジが形成されてあることを特徴とするイヤリング止め具。
【考案の詳細な説明】
【技術分野】
【０００１】  本考案は金属メッキされた止め具に止められたイヤリングに関する。
【背景技術】
【０００２】  従来の金属メッキされたイヤリングは止め具が使用不可能と成ると、再利用は全くできなかった。
【考案の開示】
【考案が解決しようとする課題】
【０００３】  従来の金属メッキされたイヤリング止め具は部品として市販されているが、これまで使用していた装飾品はこれらの止め具にイヤリングを付け直す場合は、金属メッキ部分の台板に従来の装飾品は全く接合することができない状態であった。装飾品がゴールド製品であれば溶着が可能であったが、金属メッキされた止め具に従来の装飾品を付けることは無理であった。
そこで、本出願人はこれら従来使用不可能と成った装飾品に接合プレートを介し、簡単な手段で強固に固定できるように開発した。
【課題を解決するための手段】
【０００４】  本考案は上記課題を解決するために、固定部材の一端には回動自在に取付け片が設けられ、該取付け片先端は台板を介し接合プレートが塗布嵌着されており、固定部材の他端には止め具が固定された止めネジが形成されてあることを特徴とするイヤリング用止め具。
【考案の効果】
【０００５】  本考案は上記構成から成るので、以下に示す効果が期待できる。
１．従来全く接合が出来なかったイヤリングが簡単な手段をもって再利用できるようになった。
２．接合プレートを介し装飾品を簡単で強固に接合できる。
３．手間もコストもかけずに簡単に直せる。
【考案を実施するための最良の形態】
【０００６】  以下、本考案の実施の形態を図面を参照して説明する。
図１ないし図２に示すように固定部材６の一端には回動自在に取付け片４が設けられ、該取付け片４の先端には台板２に接合プレート３が設けられてあり、この台板２には上下から接合プレート３が爪９−１ないし９−３によって挟持されており、挟持固定する場合には接着剤が十分塗布された状態で取付けられる。【０００７】  尚、ここに取付けられる接合プレート３は透明のポリエチレンやプラスチックなどの化学樹脂が有効である。また接着剤もこれらに適合される同種材料のものが好ましい。更に固定部材６に付けられる止めネジ７の先端には抑え部材８が設けられる。
【図面の簡単な説明】
【図１】  平面図
【図２】  本止め具の正面図
【図３】  図２のＡ−Ａ矢視図
【図４】  図２のＢ−Ｂ矢視図
【符号の説明】
１．  イヤリング止め具
２．  台板
３．  接合プレート
４．  取付け片
５．  軸部
６．  固定部材
７．  止めネジ
８．  抑え部材
９−１．爪
９−２．爪
９−３．爪
【図１】
0003118561.tif 000003
【図２】
0003118561.tif 000004
【図３】
0003118561.tif 000005
【図４】
0003118561.tif 000006
(57)【要約】【課題】  本考案は災害時に密室のトイレに閉じ込められた場合や急病時に外部に緊急を知らせるために役立つ。【解決手段】  本考案は家庭用トイレットペーパーホルダー本体にラジオ、照明、緊急ブザー、飲料水を設け災害時にトイレに閉じ込められた場合や急病になった場合、外部の情報収集や救助の知らせができ万一時に慌てずに対応ができる。【選択図】図１
0003118563.tif 000002
【実用新案登録請求の範囲】
【請求項１】
トイレットペーパーホルダー本体に時計、ラジオ、緊急ブザー、飲料水等災害時に必要な物を取り付けたことを特徴とする災害対応トイレットペーパーホルダー。
【考案の詳細な説明】
【技術分野】
【０００１】  本考案は、災害時に対応できる物品を設けたトイレットペーパーホルダーに関するものである。
【背景技術】
【０００２】  家庭のトイレには現在病院などと違い緊急ブザー等の緊急対策用の設備がほとんどない。
【考案の開示】
【考案が解決しようとする課題】
【０００３】  この考案は昔から地震のあった場合逃げ込めと言われている密室性の高いトイレで災害時に閉じ込められた場合、第三者に自分の居所を素早く知らせることや、またすぐに救助されない場合には外部の情報等を把握できるように災害時に対応できるグッツをトイレットペーパーホルダーに取り付けることにより前述の不安を解決するものである。
【課題を解決するための手段】
【０００４】  本考案は以上の課題を解決するために、トイレのペーパーホルダーに緊急用ブザー、ＡＭ、ＦＭラジオ、時計、コンパクトライトを設け、ペーパーの芯には軸の部分に真空容器にいれた飲料水を備え付けることとした。また災害時にトイレという密室に長時間閉じ込められた時にもまた急に気分が悪くなり外部の人間にそのことを知らせることができる災害対応ホルダーである。
【考案の効果】
【０００５】  上述の様に本考案は災害時にトイレの中に閉じ込められた時にも、外の情報等をラジオで把握することができ、同時に外部の人間にブザーで自分の存在を知らせることができて慌てることなく救助を待つことができる。また持病のある人などが急に様態が悪くなったときにも外の人に緊急を知らせることができる。
【考案を実施するための最良の形態】
【０００６】  本考案の一実施形態を、図１に示す。この本体１は家庭用トイレに取り付けられることができるコンパクトな形状になっている。本体上部にはラジオのスイッチ、ダイヤル、時計、緊急ブザー、ライト、下部にペーパーのホルダー芯軸には真空容器入り飲料水が備わっている。
【実施例】
【０００７】  以下、添付書類に従って一実施例を説明する。１はプラスティック等適宣な素材で４はＡＭ、ＦＭ切替スイッチ、５はコンパクトライト、６は緊急用ブザー、７ａ、７ｂはホルダー部、８はペーパーの芯を通す軸、９は軸の中に収納する真空状態の飲料水を入れる容器である。動力は乾電池を使用予定。【０００８】「他の実施形態」
本考案の一実施例は上述の如き構成からなるものであるから本体ペーパーホルダーを災害用設備として、また緊急呼び出し用機器として使用することも勿論である。
【図面の簡単な説明】
【０００９】
【図１】本考案災害対応トイレットペーパーホルダーの形態を示す正面図である。
【図２】本ペーパーホルダーの一部切欠断面図である。
【符号の説明】
【００１０】      １  ペーパーホルダー本体
２  ラジオスイッチ
３  ラジオダイヤル
４  ＡＭ、ＦＭ切替スイッチ
５  コンパクトライト
６  緊急ブザー
７  トイレットペーパーホルダー部
８  トイレットペーパー芯軸
９  真空容器
【図１】
0003118563.tif 000003
【図２】
0003118563.tif 000004
(57)【要約】      （修正有）【課題】ごみ袋は蓋付き容器などに入れて使用するとその都度蓋の開閉の手間とごみが溜まって出す時に持ち上げるのも大変であった。【解決手段】固定軸１２と渡し棒１１に切り込み１４と押さえパット１６と備えたシート１６を繋ぎこの内側にごみ袋を固定させ、左右前後の受け板溝８．９．１０に渡し棒を移動させてごみ袋口の開閉を行う。【選択図】図１
0003118565.tif 000002
【実用新案登録請求の範囲】
【請求項１】
固定軸と渡し棒の間を切り込みと押さえパットを備えたシートで繋ぎ受け板溝で渡し棒を移動させてごみ袋口を開閉させることを特徴とするごみ収納具。
【考案の詳細な説明】
【考案の詳細な説明】
【考案の技術分野】
【０００１】この考案は固定軸と渡し棒の間を切り込みと押さえパットを備えたシートで繋ぎ左右の受け板溝で渡し棒を移動させてごみ袋口を開け閉めして使用するごみ収納具である。
【背景技術】
【０００２】ごみ袋は蓋付き容器などに入れてごみの出し入れに容器の蓋を開閉して使用していた。
【考案が解決しようとする課題】
【０００３】ごみ袋は蓋付き容器などに入れて使用するとその都度蓋の開閉とごみが溜まった時に持ち上げるのは大変であった。
【課題を解決するための手段】
【０００４】渡し棒（１１）と固定軸（１２）にシート（１６）を繋ぎこの内側にごみ袋（１７）を入れその隅を固定軸（１２）の止め具（１８）と渡し棒（１１）の止め具（１８）でそれぞれで止める。
【考案実施の形態】
【０００５】固定板左（１）の上に受け板左（２）を立てる固定板右（３）の上に受け板右（４）を立てる。固定板左（１）と固定板右（３）を安定させるために安定枠前（５）と安定枠後（６）を繋ぐ。
受け板左（２）と受け板右（４）を固定軸（１２）で繋ぐ、受け板左（２）に前受け溝左（７）、後受け溝左（９）を付け受け板右（４）に前受け溝右（８）、後受け溝右（１０）を付ける。
渡し棒（１１）の左右に握り手（１３）を取り付ける。
渡し棒（１１）と固定軸（１２）に切り込み（１４）と押さえパット（１５）を備えたシート（１６）を繋ぐ。
【実施例】
【０００６】ごみ袋（１７）の前隅を渡し棒（１１）の止め具（１８）で止める。ごみ袋（１７）の後隅を固定軸（１２）の止め具（１８）で止める。これでごみ袋（１７）がセットされ使用状態になりごみを捨てる。又、その時のごみの量や形に応じて切り込み（１４）が横に開いて安定させる。終わったら渡し棒（１１）の握り手（１３）で後受け溝左（９）と後受け溝右（１０）に移動させる。これでごみ袋（１７）の前面とシート（１６）の押さえパット（１５）で蓋の状態を作る。又ごみを捨てる時は渡し棒（１１）を前に戻して使用する。
【考案の効果】
【０００７】ごみ袋の口元を移動棒に固定し移動させることによりごみ袋の口元が開閉状態になり、従来の容器のような蓋の開閉が不要となり便利である。
【図面の簡単な説明】
【図１】本考案の斜面図
【図２】本考案の取り付け状態図
【図３】本考案の使用状態図
【符号の説明】
１，  固定板左                    １１，渡し棒
２，  受け板左                    １２，固定軸
３，  固定板右                    １３，握り手
４，  受け板右                    １４，切り込み
５，  安定枠前                    １５，押さえパット
６，  安定枠後                    １６，シート
７，  前受け溝左                  １７，ごみ袋
８，  前受け溝右                  １８，止め具
９，  後受け溝左
１０，後受け溝右
【図１】
0003118565.tif 000003
【図２】
0003118565.tif 000004
【図３】
0003118565.tif 000005
(57)【要約】      （修正有）【課題】システム手帳の使用において、記入しておく必要のある情報量が多くなり、従来のシステム手帳用の正規サイズ綴込み用紙では記入スペースが不十分となったとき、別途メモ用の綴込み用紙や補助の手帳等を用意する手間を省き、かつ、一覧性のよいメモ等記入スペースを提供する。【解決手段】システム手帳用の正規サイズ綴込み用紙１の、綴じ具への綴込み孔４を穿設した一側辺の対向辺にあたる折り線３にて折り畳み自在にメモ等記入欄６ａ、６ｂを有する増設用紙２を連設する。【選択図】図１
0003118567.tif 000002
【実用新案登録請求の範囲】
【請求項１】
日々のスケジュールやメモ等を記入するためのシステム手帳用の綴込み用紙であって、一側辺に綴じ具への綴込み孔を穿設するとともに、その対向辺にて折り畳み自在にメモ等記入欄を有する増設用紙を連設したことを特徴とするシステム手帳用綴込み用紙。
【考案の詳細な説明】
【技術分野】
【０００１】  本考案はシステム手帳の綴込み用紙に関し、一辺にて折り畳み自在にメモ等記入欄を有する増設用紙を連設したシステム手帳用綴込み用紙に関するものである。
【背景技術】
【０００２】  従来のシステム手帳の正規サイズ綴込み用紙は綴じ具に装着して見開いた状態で、左右の２ページ内に於いて、日付けごとに区画した数日分のスケジュール等記入欄やメモ等記入欄を配置していた。
【考案の開示】
【考案が解決しようとする課題】
【０００３】  上記システム手帳用の正規サイズ綴込み用紙では日々の行事、予定、仕事などに伴う記入しておく必要のある情報量が少ない場合は不便はないが、そうでない場合は、正規サイズの見開き２ページ分の記入スペースだけでは不十分となるため、別途メモ用の綴込み用紙や補助の手帳等を用意しなければならなかった。このため、当該見開きの記入スペースと別途用意したメモ用の綴込み用紙や補助の手帳等の記入事項を比較しながら記入したり検討するにおいて、双方の記入スペースの一覧性が悪いために記入事項の突合せに手間がかかり、不便であった。従って、本考案は、システム手帳の正規サイズ綴込み用紙にメモ等記入用の増設用紙を折り畳み自在に連設して、一覧性の良いメモ等記入スペースを増設したシステム手帳用綴込み用紙を提供することにより、前述の欠点を解決しようとするものである。
【課題を解決するための手段】
【０００４】  本考案は、システム手帳用の正規サイズ綴込み用紙の、綴じ具への綴込み孔を穿設した一側辺の対向辺にて折り畳み自在にメモ等記入欄を有する増設用紙を連設することにより、問題点を解決している。
【考案の効果】
【０００５】  上記のように、本考案のシステム手帳用の綴込み用紙は、記入しておく必要のある情報量が多くなり、正規サイズ綴込み用紙の見開き２ページ分の記入欄では記入スペースが足りなくなった場合に、折り畳まれたメモ等記入欄を有する増設用紙を伸展することにより、増設されたメモ等記入スペースを使用することができるので、別途メモ等記入用の綴込み用紙や補助の手帳等を用意する手間を省くことができる。また、増設されたメモ等記入欄を有する用紙は該正規サイズ綴込み用紙のすぐ横に連設されているので、一覧性がよく、記入事項の比較を効率的に行うことができ、非常に便利である。
【考案を実施するための最良の形態】
【０００６】  本考案のシステム手帳用綴込み用紙は、日付けごとに区画した数日分のスケジュール等記入欄やメモ等記入欄を有した正規サイズ綴込み用紙の、一側辺に綴じ具への綴込用孔を穿設し、その対向辺にて折り畳み自在にメモ等記入欄を有する増設用紙を連設している。又、連設された該増設用紙は折り畳んだときに綴込み用孔を塞がない巾を有する。
【実施例】
【０００７】  以下、添付図面に従って一実施例を説明する。図１はシステム手帳用の綴込み用紙一葉の平面図であり、図２は同底面図である。【０００８】  図１に示すように本実施例のシステム手帳用綴込み用紙は、表示する年月日の暦に応じて変化して表れる、日付けごとのスケジュール等記入欄５ａを有する正規サイズ綴込み用紙１とメモ等記入欄６ａを有する増設用紙２が折り線３によって連設されて成り、一覧性のよいメモ等記入スペースを確保することを可能としている。【０００９】  また、図２に示すように本考案のシステム手帳用綴込み用紙は裏面においても、正規サイズ綴込み用紙１の裏面のメモ等記入欄５ｂに増設用紙２裏面のメモ等記入欄６ｂが折り線３によって連設されて表され、図１におけると同様に一覧性のよいメモ等記入スペースを確保することを可能としている。【００１０】  又、図３に示すように本考案のシステム手帳用綴込み用紙を綴込み孔４にてシステム手帳用バインダー７に綴じるときには増設用紙２を折り線３によって折り畳むことにより、バインダーからはみ出すことなくファイリングすることができる。【００１１】  本実施例において増設用紙２のメモ等記入欄６ａ、６ｂには罫線が表されているが、罫線の本数や巾を限定するものではなく、メモ等を記入することさえできればよいので、罫線に代えて方眼等を用いたり、あるいはそのままの白紙を用いてもよい。
【図面の簡単な説明】
【００１２】
【図１】本考案のシステム手帳用綴込み用紙の実施例を示す平面図である。
【図２】本考案のシステム手帳用綴込み用紙の実施例を示す底面図である。
【図３】本考案のシステム手帳用綴込み用紙をファイリングした状態の説明図である。
【符号の説明】
【００１３】１    正規サイズ綴込み用紙
２    増設用紙
３    折り線
４    綴込み孔
５ａ  日付けごとのスケジュール等記入欄
５ｂ  正規サイズ綴込み用紙の裏面のメモ等記入欄
６ａ  メモ等記入欄
６ｂ  メモ等記入欄
７    システム手帳用バインダー
【図１】
0003118567.tif 000003
【図２】
0003118567.tif 000004
【図３】
0003118567.tif 000005